(57)【要約】【課題】縦置きで使用しても小径ディスクの脱落を回避でき、しかも光ピックアップとの衝突を回避できる光ディスク装置を提供することを目的とする。【解決手段】ディスクトレイ１の大径ディスク用凹部２にセットして使用される着脱自在の小径ディスク用アダプタ１４を備えた光ディスク装置であって、アダプタ１４は、大径ディスク用凹部２の外周部に係合して保持され、中央に底部が開口した小径ディスク用凹部１５が形成され、小径ディスク用凹部１５の外周部に脱落防止爪１９ａ〜１９ｄが形成されている。【選択図】図１
2007310947.tif 000002
【特許請求の範囲】
【請求項１】
光ディスク装置本体からディスクを交換可能な位置に引き出されたディスクトレイの大径ディスク用凹部にセットして使用される小径ディスク用アダプタであって、
外周部が前記大径ディスク用凹部の外周部に係合して保持され、中央に底部が開口した小径ディスク用凹部が形成され、前記小径ディスク用凹部の外周部に、前記小径ディスク用凹部にセットされた小径ディスクに係合するよう内周に向かって突出した脱落防止爪を設けた
小径ディスク用アダプタ。
【請求項２】
前記小径ディスク用凹部の外周部に、前記小径ディスク用凹部にセットされた小径ディスクに係合するよう内周に向かって突出した脱落防止爪を周方向に複数個設け、前記脱落防止爪の少なくとも一部の脱落防止爪を径方向に弾性変形可能に構成した
請求項１記載の小径ディスク用アダプタ。
【請求項３】
光ディスク装置本体からディスクを交換可能な位置にディスクトレイが引き出される光ディスク装置であって、
前記ディスクトレイに形成された大径ディスク用凹部に着脱可能で、外周部が前記大径ディスク用凹部の外周部に係合して保持され、中央に底部が開口した小径ディスク用凹部が形成され、前記小径ディスク用凹部の外周部に、前記小径ディスク用凹部にセットされた小径ディスクに係合するよう内周に向かって突出した脱落防止爪を設けた小径ディスク用アダプタを備えた光ディスク装置。
【請求項４】
光ディスク装置本体からディスクを交換可能な位置に引き出されたディスクトレイの大径ディスク用凹部にセットして使用される小径ディスク用アダプタであって、
外周部が前記大径ディスク用凹部の外周部に係合して保持され、中央に小径ディスクよりも大きな孔部が形成された環状で、前記孔部の外周部に、前記孔部にセットされた小径ディスクに係合するよう内周に向かって突出した脱落防止爪を設けた
小径ディスク用アダプタ。
【請求項５】
光ディスク装置本体からディスクを交換可能な位置にディスクトレイが引き出される光ディスク装置であって、
前記ディスクトレイに形成された大径ディスク用凹部に着脱可能で、外周部が前記大径ディスク用凹部の外周部に係合して保持され、中央に小径ディスクよりも大きな孔部が形成された環状で、前記孔部の外周部に、前記孔部にセットされた小径ディスクに係合するよう内周に向かって突出した脱落防止爪を設けた小径ディスク用アダプタを備えた光ディスク装置。
【請求項６】
前記小径ディスク用アダプタを、
前記大径ディスク用凹部の外周部に形成されている大型ディスク用脱落防止突起と前記大径ディスク用凹部との間で挟持するよう構成した
請求項３または請求項５記載の光ディスク装置。
【発明の詳細な説明】
【技術分野】
【０００１】
本発明は、光ディスク装置の特にディスクトレイに関するものである。
【背景技術】
【０００２】
光ディスク装置には、光ディスク装置本体から外部に引き出されてディスクを着脱可能な第１の状態と、光ディスク装置本体に引き込まれて光ピックアップがディスクにアクセス可能な第２の状態とにわたって出退するディスクトレイが設けられている。
【０００３】
さらに、光ディスク装置はディスクトレイにターンテーブルとこれを駆動するスピンドルモータならびに光ピックアップ装置を搭載した一体型と、光ディスク装置本体の内部にターンテーブルとこれを駆動するスピンドルモータならびに光ピックアップ装置が配置された分離型がある。
【特許文献１】特開平７−３２６１７７号公報
【発明の開示】
【発明が解決しようとする課題】
【０００４】
前記一体型の光ディスク装置の場合には、ターンテーブルにディスクをセットすることができるため、ディスクが１２ｃｍディスク、８ｃｍディスクの何れの場合でも問題が発生しないが、前記分離型の光ディスク装置の場合には、次のような問題がある。
【０００５】
図８は前記分離型の光ディスク装置の一般的なディスクトレイを示す。
ディスクトレイ１には、１２ｃｍディスクを受ける第１凹部２と、この第１凹部２の内側に設けられて８ｃｍディスクを受ける第２凹部３が設けられている。第１凹部２の外周部には、図９に示すように光ディスク装置本体４を縦置きで使用した場合にディスクがディスクトレイ１から脱落しないように、複数個所に大型ディスク用脱落防止用の突起５ａ，５ｂ，５ｃ，５ｄが設けられている。光ディスク装置を水平置きで使用して８ｃｍディスク６をセットする場合には、第２凹部３に図１０（ａ）に示すようにディスクがセットされる。このディスクトレイ１が光ディスク装置本体に引き込まれて図１０（ｂ）に示すように第２の状態になってターンテーブル７とディスククランプ８とで挟持されたセットされた状態では、８ｃｍディスク６は第２凹部３の底部から持ち上げられた位置で回転駆動される。
【０００６】
光ディスク装置本体を縦置きで使用する場合には、８ｃｍディスク６を第２凹部３にセットしようとしても脱落するため、図１１に示すように８ｃｍディスク６の外周にアダプタ９を取り付けてからディスクトレイ１の第１凹部２にセットして１２ｃｍディスクとして取り扱われる。
【０００７】
この場合には、第１凹部２の外周部に周方向に所定間隔で設けられた突起５ａ〜５ｄに、アダプタ９の外周部が係合して前記脱落を防止することができる。しかし、アダプタ９には、８ｃｍディスク６に係合するために爪１０が設けられている。
【０００８】
ブルーレイディスクにアクセスする光ピックアップ１１の場合には、音楽用ディスクやＤＶＤディスクにアクセスする光ピックアップに比べて対物レンズ１２と８ｃｍディスク６との間隙が狭いため、光ピックアップ１１がトラバース方向（矢印１３方向）に移動すると、対物レンズ１２がアダプタ９の爪１０に衝突する事故のおそれがある。
【０００９】
更に、８ｃｍディスク６とアダプタ９との２つの部材が回転駆動されるためにアンバランスや不要振動、および回転の加減速時に８ｃｍディスク６とアダプタ９との間に生じるスリップによる不要外乱などにより、特に情報の記録時に所要の性能が得られない可能性がある。
【００１０】
本発明は光ディスク装置本体を縦置きで使用して８ｃｍディスクをディスク間トレーにセットすることができ、しかも、８ｃｍディスクの場合であっても光ピックアップの対物レンズとの衝突を回避できる、且つ、安定して情報記録が可能な小径ディスク用アダプタと光ディスク装置を提供することを目的とする。
【課題を解決するための手段】
【００１１】
本発明の請求項１記載の小径ディスク用アダプタは、光ディスク装置本体からディスクを交換可能な位置に引き出されたディスクトレイの大径ディスク用凹部にセットして使用される小径ディスク用アダプタであって、外周部が前記大径ディスク用凹部の外周部に係合して保持され、中央に底部が開口した小径ディスク用凹部が形成され、前記小径ディスク用凹部の外周部に、前記小径ディスク用凹部にセットされた小径ディスクに係合するよう内周に向かって突出した脱落防止爪を設けたことを特徴とする。
【００１２】
本発明の請求項２記載の小径ディスク用アダプタは、請求項１において、前記小径ディスク用凹部の外周部に、前記小径ディスク用凹部にセットされた小径ディスクに係合するよう内周に向かって突出した脱落防止爪を周方向に複数個設け、前記脱落防止爪の少なくとも一部の脱落防止爪を径方向に弾性変形可能に構成したことを特徴とする。
【００１３】
本発明の請求項３記載の光ディスク装置は、光ディスク装置本体からディスクを交換可能な位置にディスクトレイが引き出される光ディスク装置であって、前記ディスクトレイに形成された大径ディスク用凹部に着脱可能で、外周部が前記大径ディスク用凹部の外周部に係合して保持され、中央に底部が開口した小径ディスク用凹部が形成され、前記小径ディスク用凹部の外周部に、前記小径ディスク用凹部にセットされた小径ディスクに係合するよう内周に向かって突出した脱落防止爪を設けた小径ディスク用アダプタを備えたことを特徴とする。
【００１４】
本発明の請求項４記載の小径ディスク用アダプタは、光ディスク装置本体からディスクを交換可能な位置に引き出されたディスクトレイの大径ディスク用凹部にセットして使用される小径ディスク用アダプタであって、外周部が前記大径ディスク用凹部の外周部に係合して保持され、中央に小径ディスクよりも大きな孔部が形成された環状で、前記孔部の外周部に、前記孔部にセットされた小径ディスクに係合するよう内周に向かって突出した脱落防止爪を設けたことを特徴とする。
【００１５】
本発明の請求項５記載の光ディスク装置は、光ディスク装置本体からディスクを交換可能な位置にディスクトレイが引き出される光ディスク装置であって、前記ディスクトレイに形成された大径ディスク用凹部に着脱可能で、外周部が前記大径ディスク用凹部の外周部に係合して保持され、中央に小径ディスクよりも大きな孔部が形成された環状で、前記孔部の外周部に、前記孔部にセットされた小径ディスクに係合するよう内周に向かって突出した脱落防止爪を設けた小径ディスク用アダプタを備えたことを特徴とする。
【００１６】
本発明の請求項６記載の光ディスク装置は、請求項３または請求項５において、前記小径ディスク用アダプタを、前記大径ディスク用凹部の外周部に形成されている大型ディスク用脱落防止突起と前記大径ディスク用凹部との間で挟持するよう構成したことを特徴とする。
【発明の効果】
【００１７】
この小径ディスク用アダプタを備えた光ディスク装置は、アダプタを取り付けていない小径ディスクを、小径ディスク用アダプタに設けられた小径ディスク専用の脱落防止爪によって保持するので、ディスクトレイを縦位置で使う使用形態において小径ディスクが脱落しない。さらに、小径ディスク用アダプタがディスクトレイの大径ディスク用凹部の外周部に係合して保持されているので、光ピックアップの側への突部が不要となり、衝突事故を回避できる。また、小型ディスクのみが回転駆動されるため不要なアンバランスや振動が発生せず、安定した情報記録が出来る。
【発明を実施するための最良の形態】
【００１８】
以下、本発明の各実施の形態を図１〜図７に基づいて説明する。
（実施の形態１）
図１〜図５は本発明の実施の形態１を示している。
【００１９】
図１（ａ）は８ｃｍ用の小径ディスク用アダプタ１４をディスクトレイ１に装着する前の光ディスク装置を示し、図１（ｂ）は小径ディスク用アダプタ１４を装着後の光ディスク装置を示している。なお、光ディスク装置本体４に対して出退可能なディスクトレイ１の構成は図７と同じである。
【００２０】
ディスクトレイ１の大径ディスク用凹部である第１凹部２にセットして使用されるこの小径ディスク用アダプタ１４は、図２と図３に示すように構成されている。
中央に小径ディスク用凹部１５が形成され、この底部には前記ターンテーブル７の出退用の開口１６が形成されている。小径ディスク用アダプタ１４の外周部には、ディスクトレイ１の突起５ａ〜５ｄに対応する位置に係合片１７ａ，１７ｂ，１７ｃ，１７ｄが形成されている。また、小径ディスク用アダプタ１４には、ディスクトレイ１の突起５ａ〜５ｄに対応して切り欠き３０ａ，３０ｂ，３０ｃ，３０ｄが形成されている。
【００２１】
小径ディスク用アダプタ１４をディスクトレイ１の第１凹部２に重ねる際には、切り欠き３０ａ〜３０ｄをディスクトレイ１の突起５ａ〜５ｄが通過するように重ね合わせ、図４に示すように小径ディスク用アダプタ１４の裏面のリブ３１がディスクトレイ１の第１凹部２に当接した状態で、次に、ディスクトレイ１に対して小径ディスク用アダプタ１４を回動方向（矢印１８方向）に回動させることによって、小径ディスク用アダプタ１４の係合片１７ａ〜１７ｄが、ディスクトレイ１の突起５ａ〜５ｄの裏面（第１凹部２の底部と向かい合う面）に係合して、ディスクトレイ１の突起５ａ〜５ｄと第１凹部２とで挟まれて小径ディスク用アダプタ１４がディスクトレイ１に保持される。係合片１７ａ〜１７ｄは前記回動方向の下手側が斜面Ａに形成されていて、ディスクトレイ１の突起５ａ〜５ｄに係合し易いよう構成されている。
【００２２】
小径ディスク用アダプタ１４の小径ディスク用凹部１５の外周部には、内周に向かって突出した脱落防止爪１９ａ，１９ｂ，１９ｃ，１９ｄが形成されている。脱落防止爪１９ａ，１９ｂは固定である。脱落防止爪１９ｃ，１９ｄは幅の狭いアーム部２０を介して小径ディスク用凹部１５の外周部の固定部２１に連結されており、アーム部２０の弾性変形によって実線位置と先端が外側に移動した仮想線位置とにわたって変形して可動できるように構成されている。
【００２３】
このように構成したため、ディスクトレイ１にセットした小径ディスク用アダプタ１４の小径ディスク用凹部１５に、８ｃｍディスク６の外周の一部を脱落防止爪１９ｃ，１９ｄの周面Ｂに当接させて、アーム部２０の先端を仮想線位置に押出すように８ｃｍディスク６で矢印２２方向に押しながら、脱落防止爪１９ａ，１９ｂを８ｃｍディスク６が乗り越えた後に、前記矢印２２方向への８ｃｍディスク６での押し付けを解除することによって、脱落防止爪１９ｃ，１９ｄが実線位置に復帰し、８ｃｍディスク６を小径ディスク用凹部１５にセットすることができる。セットされた８ｃｍディスク６は脱落防止爪１９ａ〜１９ｄに係合して、光ディスク装置本体４が縦置きであっても小径ディスク用アダプタ１４の小径ディスク用凹部１５から脱落しない。
【００２４】
８ｃｍディスク６をセットした第１の状態からディスクトレイ１を光ディスク装置本体４の内部に引き込んだ第２の状態に駆動することによって、セットされている８ｃｍディスク６の中心孔２３が、図５に示すようにターンテーブル７の中心付近に到達する位置にまで搬送されて、ターンテーブル７がディスクトレイ１に対して上昇し、８ｃｍディスク６を中央にしてターンテーブル７とは反対側に設けられたディスククランプ８（図９を参照）とで８ｃｍディスク６を挟持して、小径ディスク用アダプタ１４の小径ディスク用凹部１５の底部ならびに脱落防止爪１９ａ〜１９ｄに接触しない状態で回転駆動される。
【００２５】
このように構成したため、小径ディスク用アダプタ１４は、ディスクトレイ１の第１凹部２の脱落防止爪１９ａ〜１９ｄに係合して保持されるので、光ディスク装置本体４が縦位置で運転される使用形態であってもディスクトレイ１から８ｃｍディスク６が脱落することがない。また、小径ディスク用アダプタ１４の開口１６と小径ディスク用凹部１５の外周との間の底部２４が形成されているため、ディスクトレイ１に８ｃｍディスクを受ける第２凹部３が設けられていても、小径ディスク用アダプタ１４の底部２４によってディスクトレイ１の第２凹部３に入り込む事態を回避して、小径ディスク用アダプタ１４にセットされてターンテーブル７とディスククランパ８とで挟持される前の８ｃｍディスク６を極めて正確な位置に保持できる。
【００２６】
さらに、小径ディスク用アダプタ１４はディスクトレイ１の第１凹部２の周面で保持されているため、図１０に示した従来のアダプタ９のように８ｃｍディスク６に係合する爪１０などの、８ｃｍディスク６から下方への突出物が無く、ブルーレイディスク用の光ピックアップのように対物レンズ１２と８ｃｍディスク６との間隙が狭い場合であっても衝突事故が発生しない。
【００２７】
なお、上記の小径ディスク用アダプタ１４は、合成樹脂の一体成形で作成することができる。
（実施の形態２）
図６と図７は本発明の光ディスク装置に着脱自在の小型ディスクアダプタの実施の形態２を示す。
【００２８】
実施の形態１では小径ディスク用アダプタ１４の開口１６と小径ディスク用凹部１５の外周との間の底部２４が形成されていたが、この実施の形態２では前記底部２４が形成されていないため、小径ディスク用アダプタ１４は中央が小径ディスク６よりも大きな孔部３２となっている。その他は実施の形態１の光ディスク装置と同じであって、外周部がディスクトレイ１の第１凹部２の外周部に係合して保持される環状で、孔部３２の外周部に、孔部３２にセットされた小径ディスク６に係合するよう内周に向かって突出した脱落防止爪１９ａ〜１９ｄが設けられている。
【００２９】
なお、ディスクトレイ１として第２凹部３が形成されていない第１凹部２だけのものを使用する場合には、セットされた８ｃｍディスクをより適正位置に保持できる。
上記の各実施の形態では、脱落防止爪１９ａ〜１９ｄのうちの２つの脱落防止爪１９ｃ，１９ｄだけをディスクの径方向に弾性変形可能に構成したが、脱落防止爪１９ａ〜１９ｄの全部をディスクの径方向に弾性変形可能に構成してもよく、少なくとも一部の脱落防止爪を径方向に弾性変形可能に構成したものであると言える。
【産業上の利用可能性】
【００３０】
本発明は、光ピックアップとディスクとが近接する光ディスク装置の高性能化に寄与できる。
【図面の簡単な説明】
【００３１】
【図１】本発明の（実施の形態１）の光ディスク装置に小型ディスクアダプタを装着する直前の斜視図と小型ディスクアダプタを装着した状態の斜視図
【図２】同実施の形態の小型ディスクアダプタの斜視図
【図３】同実施の形態の平面図
【図４】同実施の形態のディスクトレイに小型ディスクアダプタを装着した状態の断面図
【図５】同実施の形態の光ディスク装置に小型ディスクアダプタを装着して８ｃｍディスクを装着した状態の平面図
【図６】本発明の（実施の形態２）の光ディスク装置に使用する小型ディスクアダプタの平面図
【図７】同実施の形態のディスクトレイに小型ディスクアダプタを装着した状態の断面図
【図８】従来のディスクトレイの斜視図
【図９】縦置きの使用状態の斜視図
【図１０】８ｃｍディスクのセット状態と回転駆動状態を示す断面図
【図１１】８ｃｍディスクにアダプタを取り付けて１２ｃｍの直径にした状態の断面図
【符号の説明】
【００３２】
１    ディスクトレイ
２    第１凹部（大径ディスク用凹部）
３    第２凹部（小径ディスク用凹部）
４    光ディスク装置本体
５ａ〜５ｄ    ディスクトレイ１の突起
１４    小径ディスク用アダプタ
１５    小径ディスク用凹部
１６    開口
１７ａ〜１７ｄ    係合片
１９ａ，１９ｂ    固定の脱落防止爪
１９ｃ，１９ｄ    可動の脱落防止爪
２０    アーム部
３０ａ〜３０ｄ    切り欠き
３１    リブ
【図１】
2007310947.tif 000003
【図２】
2007310947.tif 000004
【図３】
2007310947.tif 000005
【図４】
2007310947.tif 000006
【図５】
2007310947.tif 000007
【図６】
2007310947.tif 000008
【図７】
2007310947.tif 000009
【図８】
2007310947.tif 000010
【図９】
2007310947.tif 000011
【図１０】
2007310947.tif 000012
【図１１】
2007310947.tif 000013